(57)【要約】【課題】  従来は発振回路が消費する電流を抑えるために、定電圧回路を使用し電源電圧よりも低い電圧で発振回路を駆動させていた。これによりある程度の低消費電力化は可能となったが、低消費電力を追求すれば発振停止電圧が高くなり低電圧動作が不可能となり、低電圧動作を追及すると消費電力が大きくなるように、低電圧動作と低消費電力はトレードオフの関係にある。【解決手段】電源電圧検出回路より昇圧動作により低電圧動作を可能とする場合と降圧動作により低消費電力を可能とする場合の切り替えを自動的に行い、低電圧動作と低消費電力のトレードオフの関係を緩和する。【選択図】  図１
2005268867.tif 000002
【特許請求の範囲】
【請求項１】
振動子を含んで構成される発振回路において、水晶発振回路、電源電圧検出回路、定電圧回路、定電圧値を制御する定電圧制御回路を有し、低電力動作可能である事を特徴とする発振回路。
【請求項２】
前記の水晶発振回路には前記の定電圧回路より電圧を供給し、定電圧値は前記の電源電圧検出回路の結果により供給電圧を設定する事を特徴とする請求項１記載の発振回路。
【請求項３】
前記の定電圧制御回路は電源電圧により、昇圧、降圧を切り替え可能である事を特徴とする請求項１記載の発振回路。
【請求項４】
前記の定電圧回路は定電圧値を設定する記憶回路を有し、設定電圧を可変である事を特徴とする請求項１記載の発振回路。
【請求項５】
前記の定電圧回路の定電圧値を設定する記憶回路は不揮発性であり、電源電圧の開閉に関わらず設定した定電圧値を保持する事を特徴とする請求項１記載発振回路。
【請求項６】
前記の定電圧回路の定電圧値を設定する記憶回路は揮発性であり、電源を落とすと格納した情報は初期化され、電源投入後からの設定した定電圧値を保持する事を特徴とする請求項１記載の発振回路。
【請求項７】
前記の電源電圧検出回路は検出電圧値を設定する記憶回路を有し、設定電圧を可変である事を特徴とする請求項１記載の発振回路。
【請求項８】
前記の電源電圧検出回路の検出電圧値を設定する記憶回路は不揮発性であり、電源電圧の開閉に関わらず設定した検出電圧値を保持する事を特徴とする請求項１記載の発振回路。
【請求項９】
前記の電源電圧検出回路の検出電圧値を設定する記憶回路は揮発性であり、電源を落とすと格納した情報は初期化され、電源投入後からの設定した検出電圧値を保持する事を特徴とする請求項１記載の発振回路。
【発明の詳細な説明】
【技術分野】
【０００１】
この発明は振動子を含んで構成される発振回路に関する。
【背景技術】
【０００２】
従来の発振回路は水晶発振回路が定電圧回路すなわちレギュレータ回路により駆動されている。前記発振回路は、定電圧回路の出力電圧が水晶発振回路駆動電圧よりも低くなると、発振しなくなる。また、十分発振継続するように定電圧回路の出力電圧を高く設定すると、消費電流が多くなる（例えば、特許文献１参照。）。
【特許文献１】特開平５−２５９７３８号公報
【発明の開示】
【発明が解決しようとする課題】
【０００３】
従来は発振回路が消費する電流を抑えるために、定電圧回路を使用し電源電圧よりも低い電圧で発振回路を駆動させていた。これによりある程度の低消費電力化は可能となったが、低消費電力を追求すれば発振停止電圧が高くなり低電圧動作が不可能となり、低電圧動作を追及すると消費電力が大きくなるように、低電圧動作と低消費電力はトレードオフの関係にある。
【課題を解決するための手段】
【０００４】
上記課題を解決するために、本発明は電源電圧値により低電圧動作を可能とする場合と低消費電力を可能とする場合の切り替えを自動的に行い、低電圧動作と低消費電力のトレードオフの関係を解消する事を目的とする。かかる目的を達成するために以下の手段を講じた。
【０００５】
振動子を含んで構成される発振回路において、水晶発振回路、電源電圧検出回路、定電圧回路、定電圧値を制御する定電圧制御回路により構成した。さらに、定電圧回路は、電源電圧検出回路の検出結果を受け、定電圧制御回路により制御して定電圧を出力できるようにした。さらに、電源電圧検出回路の検出結果により供給電圧を設定する事を可能にしたため、水晶発振回路に任意の電力を供給することができるようにした。また、定電圧制御回路は電源電圧により、昇圧、降圧を切り替え可能にしたため、水晶発振回路には必要最低限の電力により動作が可能となるようにした。また、定電圧回路は定電圧値を設定する記憶回路を有するように構成したために設定電圧を可変とすることができ、ユーザの用途に合わせて任意に定電圧値を設定できるようにした。また、定電圧回路の定電圧値を設定する記憶回路は不揮発性回路で構成したために電源電圧の開閉に関わらず定電圧値を保持、あるいは、保護することができ、動作の確実性を向上させる事ができる。また、定電圧回路の定電圧値を設定する記憶回路は揮発性回路で構成したため、電源を落とすと格納した定電圧値は初期化され定電圧値を改めて初期化する手間を省くことができるようにした。その結果、使い勝手を向上させることができる。また、電源電圧検出回路は検出電圧値を設定する記憶回路を有し、設定電圧を可変にすることができるため、ユーザの用途に合わせて任意に検出電圧値を設定できる。また、電源電圧検出回路の検出電圧値を設定する記憶回路は不揮発性回路で構成したため、電源電圧の開閉に関わらず検出電圧値を保持、あるいは、保護することができ動作の確実性を向上させる事ができる。
【発明の効果】
【０００６】
本発明によれば電源電圧検出回路より昇圧動作により低電圧動作を可能とする場合と降圧動作により低消費電力を可能とする場合の切り替えを自動的に行い、低電圧動作と低消費電力のトレードオフの関係を緩和し、低消費電力である発振回路を実現することができ、電池寿命を延ばす事ができる。
【発明を実施するための最良の形態】
【０００７】
以下、図面を参照にして本発明にかかる実施の形態について詳述する。
【０００８】
図１は本発明の実施形態による発振回路の構成を示すブロック図である。水晶振動子１６により発振動作をする水晶発振回路１１、水晶発振回路１１に電圧を供給する定電圧回路１２、定電圧回路１２の出力電圧を制御する定電圧制御回路１３、電源電圧を監視してその結果を定電圧制御回路１３に反映させる電源電圧検出回路１４により構成され、水晶発振回路１１の出力が内部回路１５に入力される。
【０００９】
電源電圧が電源電圧検出回路１４で設定されている検出電圧値以下に低下すると、その情報を定電圧制御回路１３に渡す。その結果定電圧制御回路１３は定電圧回路が昇圧動作をするように制御を行う。これにより水晶発振回路１１は電源電圧が低下しても発振が停止することなく動作が可能となる。
【００１０】
逆に電源電圧が電源電圧検出回路１４で設定されている検出電圧値以上に上昇すると、その情報を定電圧制御回路１３に渡す。その結果定電圧制御回路１３は定電圧回路１２が降圧動作をするように制御を行う。これにより水晶発振回路１１は発振動作を行う必要最低限の電圧が供給され、低消費電力動作が可能となる。この結果、低電圧動作と低消費電力動作のトレードオフの関係を緩和する事が可能となる。
【００１１】
さらに、電源電圧検出回路１４又は定電圧制御回路１３に記憶回路を付加し、定電圧回路１２により水晶発振回路１１に供給する電圧値や電流値を設定可能とすることができる。その結果、ユーザの用途に合わせて水晶発振回路１１の消費電流、動作電圧を設定可能とすることがでる。また、電源電圧検出回路１４は、電源電圧の検出電圧値を記憶回路により記憶することができるようにする。その結果、電源電圧を落とした後に立ち上げたとき、前回電圧を出力できる。
【００１２】
定電圧検出回路１３及び電源電圧検出回路１４のそれぞれの設定電圧値を決定する記憶回路のデータは、マスクＲＯＭ、ＥＰＲＯＭ、ＥＥＰＲＯＭ、Ｆｌａｓｈ−ＥＥＰＲＯＭ、ヒューズ、ゲートアレイ、ＭＲＡＭ等の不揮発性であるもの、ＳＲＡＭ、ＤＲＡＭ等の揮発性であるものを使用することができる。
【図面の簡単な説明】
【００１３】
【図１】本発明の実施形態１による発振回路の回路構成を示す図である。
【符号の説明】
【００１４】
１１ 水晶発振回路
１２ 定電圧回路
１３ 定電圧制御回路
１４ 電源電圧検出回路
１５ 内部回路
１６ 水晶振動子
【図１】
2005268867.tif 000003